(57)【要約】  本ディスプレイシステムは、電子写真立てアセンブリと、その電子写真立てアセンブリを装着可能な着脱式額縁アセンブリと、を備える。その着脱式額縁アセンブリは、当該着脱式額縁アセンブリに電子写真立てアセンブリが装着されているとき、電子写真立てアセンブリを駆動するためのエネルギを獲得する電力獲得装置を有する。
2012512458.tif 000002
【特許請求の範囲】
【請求項１】
ディスプレイと、そのディスプレイに着脱可能な額縁と、を備え、
その額縁が、
ディスプレイ駆動用のエネルギを獲得する電力獲得装置と、
当該額縁がディスプレイに装着されているとき電力獲得装置からディスプレイへとエネルギを伝えるコネクタと、
を有するディスプレイシステム。
【請求項２】
請求項１記載のディスプレイシステムであって、その電力獲得装置が光電池を有するディスプレイシステム。
【請求項３】
請求項１記載のディスプレイシステムであって、その電力獲得装置が、磁気波を受信しディスプレイ駆動用のエネルギに変換する装置を有するディスプレイシステム。
【請求項４】
請求項１記載のディスプレイシステムであって、その電力獲得装置が額縁内に埋め込まれたディスプレイシステム。
【請求項５】
請求項１記載のディスプレイシステムであって、その電力獲得装置によってもたらされるエネルギを蓄蔵するエネルギ蓄蔵装置を備えるディスプレイシステム。
【請求項６】
請求項１記載のディスプレイシステムであって、その電力獲得装置が、無線波を受信しディスプレイ駆動用のエネルギに変換する無線装置を有するディスプレイシステム。
【発明の詳細な説明】
【技術分野】
【０００１】
本発明は電子回路、特にディスプレイシステムに関する。
【背景技術】
【０００２】
電子写真立て(digital media frame)はディジタル画像や動画の飾り付けに近頃よく用いられている。液晶ディスプレイ等の低価格フラットパネルディスプレイが出現したことで電子写真立ての愛用が拡がり、従来の写真立てと同じく一般家庭のテーブルや壁に写真を飾るため使用されることがますます多くなっている。ただ、ディスプレイの低消費電力化やバッテリの長寿命化が進んだとはいえ、バッテリの寿命はまだまだ短時間である。そのため、今のところは、壁掛け使用時には電子写真立てからコンセントまでコードを引き回す必要がある。これは実用性に若干欠けている。コードを引き回すのは見苦しいし、小さな子供達がコードに引っかかって電子写真立てが壊れる可能性もある。
【０００３】
無論、壁面コンセントを電子写真立ての真後ろに設けることもできる。しかしながら、これを実施するには電気技術者に屋内配線工事を頼まねばならない。借家住まいの人々には大抵はその権原がなく、そうした改造を住居に施すことができない。しかも、家具を配置換えする際、壁面上の写真を動かすのに、電子写真立ての移動では済まず壁面コンセントの位置を変えねばならない。電子写真立てへの給電をコード式で行っている限り、こうした問題への対処は不可能である。
【先行技術文献】
【特許文献】
【０００４】
【特許文献１】米国特許出願公開第２００７／０２２２４２６号明細書
【特許文献２】米国特許出願公開第２００７／００１９６９３号明細書
【特許文献３】米国特許出願公開第２００７／０２９８８４６号明細書
【特許文献４】米国特許第７１５５６７９号明細書
【特許文献５】米国特許第６４１４６６３号明細書（Ｂ１）
【特許文献６】米国特許第６７４７５７８号明細書（Ｂ１）
【特許文献７】米国特許出願公開第２００５／０１８６９９４号明細書（Ａ１）
【発明の概要】
【発明が解決しようとする課題】
【０００５】
従って、いま求められているのは、ユーザのニーズに見合っており、低価格で実現しやすく、しかも技術進歩に即応できる無線給電式電子写真立てを実現することである。
【課題を解決するための手段】
【０００６】
本発明の主題事項については別紙図面と併せ実施形態についての説明を参照されたい。ある特定の好適実施形態を参照し本発明を詳示するけれども、本発明の技術的範囲内で様々な変形乃至改良を施せることに留意されたい。
【図面の簡単な説明】
【０００７】
【図１】本発明の一実施形態における着脱式額縁アセンブリ及び電子写真立てアセンブリの構成を示す図である。
【図２】本発明の一実施形態における着脱式額縁アセンブリ及び電子写真立てアセンブリの内部構成を示す図である。
【図３】本発明の一実施形態における着脱式額縁アセンブリ、無線電力発生器及び電子写真立てアセンブリの構成を示す図である。
【図４】本発明の一実施形態におけるシステム構成部材を示すブロック図である。
【図５】本発明の一実施形態における磁気式無線送電システムの構成を示す図である。
【図６】本発明の一実施形態における直接光伝達式無線送電システムの構成を示す図である。
【図７】本発明の一実施形態における無線周波数（ＲＦ）式無線送電システムの構成を示す図である。
【発明を実施するための形態】
【０００８】
図１に、着脱式額縁アセンブリ３０及び電子写真立てアセンブリ１０の一例構成を示す。図示の通り、額縁アセンブリ３０の主たる構成要素は外枠１６及びマット１８である。マット１８の中程には開口部１４があり、装着されたディスプレイ１２をその開口部１４越しに見ることができる。本実施形態では、額縁アセンブリ３０内の吸光部分に光を通せるよう、半透明なマット１８が使用されている。ガラスカバー１３は、それら、ディスプレイ１２やマット１８を傷、埃、汚れ等から護る手段の一例である。他方、写真立てアセンブリ１０はディスプレイ１２等の部材で構成されている。その構成部材については、大略、本願出願人（Eastman Kodak Company）を譲受人とする特許文献４（発行日：２００６年１２月２６日）の記載を参照されたい。例えば、ディスプレイ１２、プロセッサ、メモリ、インタフェース回路、表示回路等の部材である。インタフェース回路は１個又は複数個の受信ポート（群）を有しており、その受信ポートには、画像データ転送に使用されたネットワーキングプロトコルの種類を識別しつつ画像データを受信する機能が備わっている。プロセッサでは、個々の画像に情報を付加した上で画像データをメモリに格納し、表示回路では、その画像データに基づき画像表示を実行させる。ユーザが画像表示順を変更できるよう、写真立てアセンブリ１０にユーザ用入力装置（但しキーボード操作やカーソル操作を伴わないもの）を設けるとよい。ディスプレイ１２としては、一般的な液晶ディスプレイに限らず、その写真立てアセンブリ１０の省電力化に役立つ様々な技術によるものを使用することができる。例えば、電気泳動、電子粉流体、電気湿潤、干渉変調、時分割多重光シャッタ等の技術によるものである。こうした技術を利用すれば、アマゾン（登録商標）キンドル（登録商標）等の電子書籍リーダのように、双安定反射表示を実現することができる。例えば、アマゾン（登録商標）キンドル（登録商標）に倣い、Ｅ−ｉｎｋ  Ｃｏｒｐｏｒａｔｉｏｎ製の積層体を用いたＰｒｉｍｅ  Ｖｉｅｗ  Ｉｎｔｅｒｎａｔｉｏｎａｌ  Ｃｏｒｐｏｒａｔｉｏｎ（ＰＶＩ）製ディスプレイを使用してもよいし、他種省電力ディスプレイ例えば株式会社ブリヂストン製の電子粉流体ディスプレイを使用してもよい。
【０００９】
図２に、本実施形態における着脱式額縁アセンブリ３０及び電子写真立てアセンブリ１０の内部構成を示す。図示部材のうち装着用フランジ２７及びフランジ受け２８は、額縁アセンブリ３０に対し写真立てアセンブリ１０を位置決め・固定するための部材であり、スナップ、孔／ピン式押嵌連結部材、磁力連結部材、Ｖｅｌｃｒｏ（登録商標）、その併用等で実現されている。額縁アセンブリ３０側の給電コネクタ２３，２４は写真立てアセンブリ１０側の受電コネクタ２１，２２に電気的に接続される部材であり、写真立てアセンブリ１０への給電に使用されている。更に、本実施形態では、保護用のガラスカバー１３及びマット１８からなるアセンブリ越しに室内光が当たったときに電力を発生させる光電池アレイ３３が、その額縁アセンブリ３０内に設けられている。このアレイ３３は、装飾マットを模した形態にしマット１８として使用することや、カバー１３内に形成することもできる。ユーザ向けに額縁アセンブリ３０を市販する際には、額縁アセンブリ３０、マット１８及びその光電池アレイ３３を様々なサイズにすることができる。マット１８の開口部１４に嵌るサイズのディスプレイ１２に見合った電力獲得能力が、その光電池アレイ３３で得られればよい。マット１８をディスプレイ１２に比べ大きめにすれば美しい外観も得られる。それには、マット１８のうち電力獲得に関わる部分の面積を、ディスプレイ１２の面積に対し１〜１０倍程度とすればよい。いずれにせよ、カバー１３の前方から光電池アレイ３３に光を入射させることで、ディスプレイシステム駆動用の電力を得ることができる。
【００１０】
図３に、本実施形態における着脱式額縁アセンブリ３０、無線電力発生器４５及び電子写真立てアセンブリ１０の構成を示す。図中の額縁アセンブリ３０及び無線電力発生器４５は対をなし、写真立てアセンブリ１０に対する給電システムを構成している。無線電力発生器４５は、一般的な交流コンセント２０からコード３５経由で給電を受け、それを交流電極から波動エネルギ束８６へと変換する。例えば、図６に示す如く管球、レーザ、発光ダイオード等の光源乃至光送信機６０４を用い光波形態のエネルギ束８６を発生させ、光受信機６０２を用い額縁アセンブリ３０側で受光するとよい。或いは、図７に示す如くＲＦ送信機１５２で電波形態のエネルギ束８６を発生させ、ＲＦ受信機１５３にて利用可能エネルギへと変換してもよい。或いは、図５に示す如くコイル１４２への通電により磁気波形態のエネルギ束８６を送信させ、その磁気波を受信機５０２にて電流に変換し写真立てアセンブリ１０を駆動してもよい。
【００１１】
また、図３では、電子写真立てアセンブリ１０及び着脱式額縁アセンブリ３０がフック５０で壁２５に固定され、無線電力発生器４５で生じた波動エネルギ束８６が額縁アセンブリ３０に対し無線で供給されている。この図からわかるように、写真立てアセンブリ１０と交流コンセント２０の間を有線接続する必要がない。
【００１２】
図４に、本実施形態に係るシステムのブロック構成を示す。この図の実施形態では、無線電力発生器４５内に電源回路、電力変換回路及び送電回路が設けられており、交流コンセント２０から供給される電力がそれらにより波動エネルギ束８６へと変換されている。着脱式額縁アセンブリ３０内の電力獲得装置３４には電力変換回路及び受電回路が備わっており、それらによりエネルギ束８６が電力へと変換されている。その電力は、図２に示した受電コネクタ２１，２２及び給電コネクタ２３，２４を用い、電力獲得装置３４からエネルギカプラ１３５を経て電子写真立てアセンブリ１０へと供給されている。電力獲得装置３４が写真立てアセンブリ１０内に埋め込まれた構成にしてもよい。
【００１３】
また、着脱式額縁アセンブリ３０内にバッテリ７５が存する構成にしてもよい。そうした構成では、電力獲得装置３４からバッテリ７５へ、更にそのバッテリ７５からバッテリ給電用エネルギカプラ１３７経由で電子写真立てアセンブリ１０へと、電力を供給することができる。この構成は、例えば光電池アレイを電力獲得装置３４として使用していて、利用できる光源がないとエネルギ変換が行われない状況等、電力獲得装置３４内エネルギ変換を行えない場合があるときに有益である。そのバッテリ７５が写真立てアセンブリ１０内に埋め込まれた構成にしてもよい。また、これらの構成では、無線による電力供給が非常に弱まっても、写真立て内プロセッサ１３０の動作でディスプレイ１２上の表示画像を更新させることができる。例えば、写真立てアセンブリ１０に備わるディスプレイ１２が双安定である場合、そのディスプレイ１２上の表示画像を更新させるのに十分な電力がバッテリ７５から得られるときに限り、プロセッサ１３０でその画像更新を実行させるようにすればよい。そのプロセッサ１３０としては、多々ある市販のプロセッサ乃至マイクロコントローラを使用することができる。揮発性メモリ、不揮発性メモリ、音楽再生用サウンド発生器等を内蔵する構成でもよい。更に、図４ではプロセッサ１３０に信号を供給するセンサ８０が写真立てアセンブリ１０に付設されているので、室内の動き、音量のしきい値超え、顔検出等に応じた動作をプロセッサ１３０に実行させることができる。写真立てアセンブリ１０は、こうしたプロセッサ１３０に加え、ディスプレイ照明器１１０、表示画像制御部１２０、音声／データ回路網１４０等を備えている。これら、写真立てアセンブリ１０を構成している諸部材は、エネルギカプラ１３５を介した電力供給の量に応じ、或いはバッテリ給電用エネルギカプラ１３７を介した電力供給の量に応じ、様々な機能水準で稼働させることができる。
【００１４】
図５に、着脱式額縁アセンブリ３０及び無線電力発生器４５の一例として、コイル１４２に流すとコイル１４３に電流が誘起する構成を示す。この構成で使用している電力獲得技術は、誘導磁界を波動エネルギ束８６として使用する誘導結合、例えば特許文献１（発行日：２００７年９月２７日，譲受人：Koninklijke Philips Electronics）に記載の技術である。この文献に記載の無線共振給電装置は一次巻線を備えている。その一次巻線は可励起負荷側の誘導巻線との間で変圧器を構成するよう配置されており、また共振回路が形成されるよう複数個のコンデンサ及びコイルと接続されている。その共振回路の構成部品は、誘導巻線に達する磁気エネルギによって共振回路内エネルギ流がダンピングされるよう、ひいてはその誘導巻線に生じる誘導電圧が略一定となり駆動手段の動作周波数における一次巻線・誘導巻線間磁気結合に依存しなくなるよう選定されている。共振回路を駆動する駆動手段は、２個の半導体スイッチ間に交流電圧を誘起させる制御ユニットを備えている。変圧器出力部に発生する交流電圧は、ダイオード式整流器によって直流電圧に変換され、更に出力段コンデンサによってフィルタリングされる。共振回路は、駆動手段を用い、その結合非依存点にて動作させることができる。即ち、一次巻線・誘導巻線間可変結合が生じる。本発明は、こうした無線共振給電装置、可励起負荷並びに無線給電システム及び方法に係る発明としても捉えることができる。
【００１５】
図６に、着脱式額縁アセンブリ３０及び無線電力発生器４５の一例として、その無線電力発生器４５で様々な周波数及び強度の平行光乃至略平行光を発生させ、それを波動エネルギ束８６として用いる電力獲得技術に基づく構成を示す。使用している電力獲得技術は、例えば特許文献２（発行日：２００７年１月２５日）に記載のものである。この文献に記載の方法及び装置は、光送信機で発生させた光ビームを自由空間経由で光対電気変換装置に供給する構成を有している。光送信機６０４に備わるアイセーフレーザ光源は光ビームを発生させ、その光ビームは自由空間経由で光対電気変換装置たる光受信機６０２の表面に入射し、光受信機６０２に備わる電力変換用フォトダイオード（群）はその光ビームのエネルギを電気エネルギに変換する。ビーム強度がシステム内使用強度から外れたときには、ビーム強度管理回路による制御でレーザ光源がターンオフされる。
【００１６】
図７に、着脱式額縁アセンブリ３０及び無線電力発生器４５の一例として、波動エネルギ束８６がＲＦ形態を採る構成を示す。使用している電力獲得技術は、例えば特許文献３（発行日：２００７年１２月２７日，譲受人：Powercast, LLC）に記載のものである。この文献に記載のＲＦ給電システム及び方法では送信機、受信機及びアンテナが使用されている。そのうちＲＦ送信機１５２は送信アンテナからＲＦの電磁波で電力を送信する部材であり、偏向素子を複数個備えている。ＲＦ受信機１５３はその電力をＲＦから直流に変換する部材であり、アンテナ素子を複数個備えている。それら複数個のアンテナ素子間での交番切替を行うことで、二種類の偏向成分にて給電を受けることができる。送信機１５２のアンテナは無線電力発生器４５側に、また受信機１５３のアンテナは額縁アセンブリ３０側にそれぞれ設けられている。
【００１７】
これら、光、磁気波、ＲＦ等の送信機からエネルギ供給を受ける電力獲得用の受信機を着脱式額縁アセンブリ３０に設け、その額縁アセンブリ３０から電子写真立てアセンブリ１０に給電するディスプレイシステムは、個々のユーザ向けにカスタマイズすることができる。例えば、ディスプレイシステムが使用される場所が強い日照のある場所なら、額縁アセンブリ３０内の光電池アレイ３３を日照条件に見合ったサイズとすればよい。日当たりのよい室内なら小さめ、日当たりの悪い場所なら大きめ、ということである。日照のない室内なら、他の方法、例えば図５〜図７に示した方法のうちいずれかで電流を発生させるよう、その額縁アセンブリ３０を構成すればよい。
【符号の説明】
【００１８】
１０  電子写真立てアセンブリ、１２  ディスプレイ、１３  ガラスカバー、１４  開口部、１６  外枠、１８  マット、２０  交流コンセント、２１，２２  給電コネクタ、２３，２４  受電コネクタ、２５  壁、２７  装着用フランジ、２８  フランジ受け、３０  着脱式額縁アセンブリ、３３  光電池アレイ、３４  電力獲得装置、３５  コード、４５  無線電力発生器、５０  フック、７５  バッテリ、８６  波動エネルギ束、１１０  ディスプレイ照明器、１２０  表示画像制御部、１３０  写真立て内プロセッサ、１３５  エネルギカプラ、１３７  バッテリ給電用エネルギカプラ、１４０  音声／データ回路網、１４２，１４３  コイル、１５２  ＲＦ送信機、１５３  ＲＦ受信機、５０２  磁気受信機、６０２  光受信機、６０４  光送信機。
【図１】
2012512458.tif 000003
【図２】
2012512458.tif 000004
【図３】
2012512458.tif 000005
【図４】
2012512458.tif 000006
【図５】
2012512458.tif 000007
【図６】
2012512458.tif 000008
【図７】
2012512458.tif 000009
【国際調査報告】
2012512458.tif 000010
2012512458.tif 000011